(57)【特許請求の範囲】
【請求項１】
線路側光ファイバ（１２）をコネクタ接続可能に成端する成端ユニット（１３）が上下に多段に設けられた線路側架体（２）と、装置側光ファイバ（２２）をコネクタ接続可能に成端する成端ユニット（２３）が上下に多段に設けられた装置側架体（３）と、これら線路側および装置側架体間に配置された配線領域（４）とを備え、この配線領域を介して線路側架体と装置側架体との間に配線されたジャンパ用光ファイバ（５）によって、線路側光ファイバと装置側光ファイバとが切替可能に接続されるようになっている光配線盤において、
前記配線領域には、ジャンパ用光ファイバを引掛ける線路側引掛け部材（４４）が線路側架体の成端ユニットに対応させて上下に多段に設けられている線路側引掛け部（４２）と、ジャンパ用光ファイバを引掛ける装置側引掛け部材（４５）が装置側架体の成端ユニットに対応させて上下に多段に設けられている装置側引掛け部（４３）とが横並びに配置されており、
前記線路側引掛け部材及び前記装置側引掛け部材の片方が、下部のものほど、前記成端ユニットとの高低差が大きくなるように上下多段に配置され、
線路側架体の成端ユニットと装置側架体の成端ユニットとの間に前記配線領域を介して配線されたジャンパ用光ファイバが、線路側引掛け部において線路側架体の成端ユニットに対応する線路側引掛け部材に引っ掛けて配線され、かつ装置側引掛け部において装置側架体の成端ユニットに対応する装置側引掛け部材に引っ掛けて、余長部分（５ｃ）が線路側引掛け部と装置側引掛け部との間に垂れ下がるようにして配線されていることを特徴とする光配線盤（１）。
【請求項２】
線路側光ファイバ（１２）をコネクタ接続可能に成端する成端ユニット（１３）が上下に多段に設けられた線路側架体（２）と、装置側光ファイバ（２２）をコネクタ接続可能に成端する成端ユニット（２３）が上下に多段に設けられた装置側架体（３）と、これら線路側および装置側架体間に配置された配線領域（４）とを備え、この配線領域を介して線路側架体と装置側架体との間に配線されたジャンパ用光ファイバ（５）によって、線路側光ファイバと装置側光ファイバとが切替可能に接続されるようになっている光配線盤において、
前記配線領域には、ジャンパ用光ファイバを引掛ける線路側引掛け部材（４４）が線路側架体の成端ユニットに対応させて上下に多段に設けられている線路側引掛け部（４２）と、ジャンパ用光ファイバを引掛ける装置側引掛け部材（４５）が装置側架体の成端ユニットに対応させて上下に多段に設けられている装置側引掛け部（４３）とが横並びに配置されており、
前記線路側引掛け部材及び前記装置側引掛け部材の両方が、下部のものほど、前記成端ユニットとの高低差が大きくなるように上下多段に配置され、
線路側架体の成端ユニットと装置側架体の成端ユニットとの間に前記配線領域を介して配線されたジャンパ用光ファイバが、線路側引掛け部において線路側架体の成端ユニットに対応する線路側引掛け部材に引っ掛けて配線され、かつ装置側引掛け部において装置側架体の成端ユニットに対応する装置側引掛け部材に引っ掛けて、余長部分（５ｃ）が線路側引掛け部と装置側引掛け部との間に垂れ下がるようにして配線されていることを特徴とする光配線盤（１）。
【請求項３】
線路側引掛け部材と装置側引掛け部材との間のジャンパ用光ファイバ余長部分（５ｃ）を収納する余長収納ユニット（２８）が設けられていることを特徴とする請求項１又は２記載の光配線盤。
【請求項４】
成端ユニットは、ユニット本体（１６、２５）と、ジャンパ用光ファイバを支持する受け部（１７、２６）とを備え、この受け部と前記引掛け部材との間に配線された部分のジャンパ用光ファイバが、下方に垂れ下がるようにして湾曲処理されていることを特徴とする請求項１〜３のいずれかに記載の光配線盤。
【請求項５】
前記線路側引掛け部材及び前記装置側引掛け部材が、それぞれ、対応する成端ユニットの前記受け部よりも高い位置に設けられていることを特徴とする請求項４記載の光配線盤。
【請求項６】
前記線路側引掛け部及び前記装置側引掛け部では、前記ジャンパ用光ファイバが、前記線路側引掛け部材、前記装置側引掛け部材に引掛けて、前後方向に配線されることを特徴とする請求項１〜５のいずれかに記載の光配線盤。
【発明の詳細な説明】
【０００１】
【発明の属する技術分野】
本発明は、線路側の光ファイバケーブルからの線路側光ファイバを、伝送装置側の装置側光ファイバと切替可能に接続する光配線盤に関する。
【０００２】
【従来の技術】
従来、線路側光ケーブル側の光ファイバを、伝送装置側の光ファイバに対して接続する光配線盤としては、図９に示すものがある。
この光配線盤８１は、線路側光ファイバが引き込まれる線路側架体８２と、装置側光ファイバが引き込まれる装置側架体８３とが、配線架体８４を介して設置された構成とされている。
線路側架体８２には、線路側光ファイバをコネクタ接続可能に成端した光コネクタアダプタ８２ａが多数配列された複数の成端ユニット８５が上下方向に多段に設けられている。
装置側架体８３には、装置側光ファイバをコネクタ接続可能に成端した光コネクタアダプタ８３ａが多数配列された複数の成端ユニット８６が上下方向に多段に設けられている。
【０００３】
この光配線盤８１では、ジャンパ用光ファイバであるジャンパコード５の一端部の光コネクタ（光コネクタプラグ）５ａを、線路側架体８２内で光コネクタアダプタ８２ａに接続し、他端部の光コネクタ（光コネクタプラグ）５ｂを装置側架体３で光コネクタアダプタ８３ａに接続することによって、線路側光ファイバと装置側光ファイバとを選択的に接続できるようになっている。
配線架体８４は、線路側架体８２と装置側架体８３との間におけるジャンパコード５の引き回し自由度を確保するとともに、ジャンパコード５の余長を湾曲処理して収容する機能を果たす。
【０００４】
【発明が解決しようとする課題】
光配線盤８１では、ジャンパコード５の余長は配線架体８４において下に垂らした状態で湾曲処理される。
光配線盤８１では、この余長が配線架体８４の底部に滞留するのを防ぐため、ジャンパコード５が接続される成端ユニット８５、８６の高さ位置や、これらの離間距離に応じて長さを変えた複数種のジャンパコード５が使用される。
例えば、光配線盤８１下部の成端ユニット８５、８６を接続する場合には短いジャンパコード５を用い、互いの離間距離が大きい成端ユニット８５、８６間を接続する場合には長いジャンパコード５が用いられる。
この光配線盤８１では、長さの異なる複数種のジャンパコード５を使用するため、コストがかさむ問題があった。また複数種のジャンパコード５を選択使用するため、作業に手間がかかる問題があった。
本発明は、上記事情に鑑みてなされたもので、作業性に優れ、かつ低コスト化が可能となる光配線盤を提供することを目的とする。
【０００５】
【課題を解決するための手段】
第１の発明の光配線盤は、線路側光ファイバをコネクタ接続可能に成端する成端ユニットが上下に多段に設けられた線路側架体と、装置側光ファイバをコネクタ接続可能に成端する成端ユニットが上下に多段に設けられた装置側架体と、これら線路側および装置側架体間に配置された配線領域とを備え、この配線領域を介して線路側架体と装置側架体との間に配線されたジャンパ用光ファイバによって、線路側光ファイバと装置側光ファイバとが切替可能に接続されるようになっている光配線盤において、前記配線領域には、ジャンパ用光ファイバを引掛ける線路側引掛け部材が線路側架体の成端ユニットに対応させて上下に多段に設けられている線路側引掛け部と、ジャンパ用光ファイバを引掛ける装置側引掛け部材が装置側架体の成端ユニットに対応させて上下に多段に設けられている装置側引掛け部とが横並びに配置されており、前記線路側引掛け部材及び前記装置側引掛け部材の片方が、下部のものほど、前記成端ユニットとの高低差が大きくなるように上下多段に配置され、線路側架体の成端ユニットと装置側架体の成端ユニットとの間に前記配線領域を介して配線されたジャンパ用光ファイバが、線路側引掛け部において線路側架体の成端ユニットに対応する線路側引掛け部材に引っ掛けて配線され、かつ装置側引掛け部において装置側架体の成端ユニットに対応する装置側引掛け部材に引っ掛けて、余長部分が線路側引掛け部と装置側引掛け部との間に垂れ下がるようにして配線されていることを特徴とする。
また、第２の発明の光配線盤は、線路側光ファイバをコネクタ接続可能に成端する成端ユニットが上下に多段に設けられた線路側架体と、装置側光ファイバをコネクタ接続可能に成端する成端ユニットが上下に多段に設けられた装置側架体と、これら線路側および装置側架体間に配置された配線領域とを備え、この配線領域を介して線路側架体と装置側架体との間に配線されたジャンパ用光ファイバによって、線路側光ファイバと装置側光ファイバとが切替可能に接続されるようになっている光配線盤において、前記配線領域には、ジャンパ用光ファイバを引掛ける線路側引掛け部材が線路側架体の成端ユニットに対応させて上下に多段に設けられている線路側引掛け部と、ジャンパ用光ファイバを引掛ける装置側引掛け部材が装置側架体の成端ユニットに対応させて上下に多段に設けられている装置側引掛け部とが横並びに配置されており、前記線路側引掛け部材及び前記装置側引掛け部材の両方が、下部のものほど、前記成端ユニットとの高低差が大きくなるように上下多段に配置され、線路側架体の成端ユニットと装置側架体の成端ユニットとの間に前記配線領域を介して配線されたジャンパ用光ファイバが、線路側引掛け部において線路側架体の成端ユニットに対応する線路側引掛け部材に引っ掛けて配線され、かつ装置側引掛け部において装置側架体の成端ユニットに対応する装置側引掛け部材に引っ掛けて、余長部分が線路側引掛け部と装置側引掛け部との間に垂れ下がるようにして配線されていることを特徴とする。
【０００６】
本発明の光配線盤は、線路側引掛け部材と装置側引掛け部材との間のジャンパ用光ファイバ余長部分を収納する余長収納ユニットが設けられている構成とすることができる。
【０００７】
本発明の光配線盤は、成端ユニットが、ユニット本体と、ジャンパ用光ファイバを支持する受け部とを備え、この受け部と前記引掛け部材との間に配線された部分のジャンパ用光ファイバが、下方に垂れ下がるようにして湾曲処理されている構成とすることができる。
また、本発明の光配線盤は、前記線路側引掛け部材及び前記装置側引掛け部材が、それぞれ、対応する成端ユニットの前記受け部よりも高い位置に設けられている構成とすることができる。
また、本発明の光配線盤は、前記線路側引掛け部及び前記装置側引掛け部では、前記ジャンパ用光ファイバが、前記線路側引掛け部材、前記装置側引掛け部材に引掛けて、前後方向に配線される構成とすることができる。
【０００８】
【発明の実施の形態】
図１ないし図４は、本発明の光配線盤の第１の実施形態を示すものである。
図１（ａ）は本実施形態の光配線盤１の上面図、図１（ｂ）は光配線盤１の正面図、図２（ａ）は光配線盤１のＡ−Ａ線断面矢視図、図２（ｂ）は光配線盤１のＢ−Ｂ線断面矢視図、図３（ａ）は光配線盤１のＣ−Ｃ線断面矢視図、図３（ｂ）は光配線盤１のＤ−Ｄ線断面矢視図、図４は光配線盤１の背面図である。
なお、以下の説明において、前および後とは、図１（ｂ）における紙面手前側および奥側を指す。また左および右とは、図１（ｂ）における左および右を指す。
【０００９】
光配線盤１は、線路側の光ファイバケーブル１１の端末から引き出された線路側光ファイバ１２をコネクタ接続可能に成端する成端ユニット１３が上下に多段に設けられた線路側架体２と、伝送装置側の光ファイバケーブル２１の端末から引き出された装置側光ファイバ２２をコネクタ接続可能に成端する成端ユニット２３が上下に多段に設けられた装置側架体３と、これら線路側および装置側架体２、３間に配置された配線領域４とを備えている。
光配線盤１は、配線領域４を介して線路側架体２と装置側架体３との間に配線されたジャンパ用光ファイバであるジャンパコード５によって、線路側光ファイバ１２と装置側光ファイバ２２とが切替可能に接続されるようになっている。
【００１０】
図示例において、線路側架体２には、上下に５段の成端ユニット１３が設けられている。
成端ユニット１３は、光コネクタアダプタ１４を備えた複数のアダプタモジュール１５が着脱可能に組み込まれるユニット本体１６と、ユニット本体１６の前面側に設けられた受け部１７とを備えている。
【００１１】
アダプタモジュール１５は、縦置きにした状態で横並びにユニット本体１６上に配列されている。
受け部１７は、ジャンパコード５を支持するものであり、成端ユニット１３の左端部から右端部にかけて形成された受け部本体１７ａと、受け部本体１７ａの左端部から下方に湾曲しつつ突出する湾曲部１７ｂとを備えている。
【００１２】
アダプタモジュール１５は、線路側光ファイバ１２に接続された成端光ファイバの端部の光コネクタ（光コネクタプラグ）を後側から光コネクタアダプタ１４に差し込むことによって、この線路側光ファイバ１２をコネクタ接続可能に成端することができるようになっている。
アダプタモジュール１５は、ジャンパコード５の一端部の光コネクタ（光コネクタプラグ）５ａを前側から光コネクタアダプタ１４に差し込むことができるようになっている。
線路側架体２の左側部には、ジャンパコード５を案内する複数の枠状のジャンパコードガイド部１８が、上下方向に間隔をおいて設けられている。
【００１３】
線路側架体２の最下部には、光部品ユニット１９が設けられている。光部品ユニット１９は、光カプラなどの光部品を収納する光モジュール１９ａが組み込まれるユニット本体１９ｂを備えている。
光部品ユニット１９は、図示しないジャンパコードによって他の光モジュールと接続されることで、内蔵されている光部品を光線路に介在させることができるようになっている。
【００１４】
図示例において、装置側架体３には、上下に５段の成端ユニット２３が設けられている。
成端ユニット２３は、パネル状のユニット本体２５と、このユニット本体２５に取り付けられた複数の光コネクタアダプタ２４と、ユニット本体２５の前面側に設けられた受け部２６とを備えている。
受け部２６は、ジャンパコード５を支持するものであり、ユニット本体２５の左端部から右端部にかけて形成された受け部本体２６ａと、受け部本体２６ａの右端部から下方に湾曲しつつ突出する湾曲部２６ｂとを備えている。
【００１５】
成端ユニット２３では、装置側光ファイバ２２の端部の光コネクタ（光コネクタプラグ）を後側から光コネクタアダプタ２４に差し込むことによって、この装置側光ファイバ２２をコネクタ接続可能に成端することができるようになっている。
成端ユニット２３は、ジャンパコード５の他端部の光コネクタ（光コネクタプラグ）５ｂを前側から光コネクタアダプタ２４に差し込むことができるようになっている。
装置側架体３の右側部には、ジャンパコード５を案内する複数の枠状のジャンパコードガイド部２７が、上下方向に間隔をおいて設けられている。
【００１６】
装置側架体３の下部には、ジャンパコード５の余長を収納する余長収納ユニット２８が設けられている。
余長収納ユニット２８は、第１〜第３余長ガイド部２９〜３１と、これら余長ガイド部２９〜３１の下方に設けられた受け部３２とを備えている。
余長ガイド部２９〜３１は、装置側架体３の左右方向に間隔をおいて設けられている。
【００１７】
第１余長ガイド部２９は、左右に延在する余長ガイド部本体２９ａの両端に、下方に湾曲する湾曲部２９ｂが設けられて構成されている。
湾曲部２９ｂは、これに引掛けられたジャンパコード５が、光特性に影響を与えない湾曲半径を確保した状態となるように形成されている。
第２第３余長ガイド部３０、３１は、円筒状に形成されている。これら余長ガイド部３０、３１は、これに引掛けられたジャンパコード５が、光特性に影響を与えない湾曲半径を確保した状態となるように形成されている。
受け部３２は、ジャンパコード５を支持するものであり、装置側架体３の左端部から右端部にかけて形成された受け部本体３２ａと、受け部本体３２ａの右端部から下方に湾曲しつつ突出する湾曲部３２ｂとを備えている。
【００１８】
配線領域４には、線路側引掛け部４２と、その左側（装置側架体３側）に設けられた装置側引掛け部４３とが横並びに配置されている。
線路側引掛け部４２は、ジャンパコード５を引掛ける線路側引掛け部材４４が、線路側架体２の成端ユニット１３に対応させて上下に多段に設けられて構成されている。
図示例においては、線路側架体２に設けられた５段の成端ユニット１３と１段の光部品ユニット１９に対応するように、線路側引掛け部４２は、上下に６段の線路側引掛け部材４４から構成されている。
【００１９】
線路側引掛け部材４４は、上下方向に延在する支持柱４１に、連結部材４０を介して取り付けられている。
線路側引掛け部材４４は、これに対応する成端ユニット１３（または光部品ユニット１９）の受け部１７よりも高い位置に設けるのが好ましい。
これら線路側引掛け部材４４と、それに対応する成端ユニット１３（または光部品ユニット１９）の受け部１７との高低差は、下部のものほど大きくなるようにするのが好ましい。
線路側引掛け部材４４の高さ位置は、引掛け部４２、４３間に相当する部分のジャンパコード５である余長部分５ｃの長さがなるべく短くなるように設定される。
【００２０】
線路側引掛け部材４４は、連結部材４０から線路側架体２方向（右方向）に延びる引掛け部材本体４４ａと、引掛け部材本体４４ａ上に設けられたクランプ４４ｂとを備えている。
引掛け部材本体４４ａは、これに引掛けられたジャンパコード５が、光特性に影響を与えない湾曲半径を確保した状態となるように形成されている。
【００２１】
装置側引掛け部４３は、ジャンパコード５を引掛ける装置側引掛け部材４５が、装置側架体３の成端ユニット２３に対応させて上下に多段に設けられて構成されている。
図示例においては、装置側架体３に設けられた５段の成端ユニット２３に対応するように、装置側引掛け部４３は、上下に５段の装置側引掛け部材４５から構成されている。
【００２２】
装置側引掛け部材４５は、上下方向に延在する支持柱４１に、連結部材４０を介して取り付けられている。
装置側引掛け部材４５は、これに対応する成端ユニット２３の受け部２６よりも高い位置に設けるのが好ましい。
これら装置側引掛け部材４５と、それに対応する成端ユニット２３の受け部２６との高低差は、下部のものほど大きくなるようにするのが好ましい。
装置側引掛け部材４５の高さ位置は、余長部分５ｃの長さがなるべく短くなるように設定される。
【００２３】
装置側引掛け部材４５は、連結部材４０から装置側架体３方向（左方向）に延びる引掛け部材本体４５ａと、引掛け部材本体４５ａ上に設けられたクランプ４５ｂとを備えている。
引掛け部材本体４５ａは、これに引掛けられたジャンパコード５が、光特性に影響を与えない湾曲半径を確保した状態となるように形成されている。
なお、符号４６は、この光配線盤１を、他の光配線盤などと接続する光ファイバである。
【００２４】
以下、ジャンパコード５の配線について詳細に説明する。
ジャンパコード５は、光コネクタ５ｂが成端ユニット２３の光コネクタアダプタ２４に接続され、受け部２６の受け部本体２６ａ上を右方に延び、湾曲部２６ｂを経て下方に向かい、ガイド部２７内に達し、湾曲して上方に延び、装置側引掛け部４３に達している。
すなわち受け部２６と装置側引掛け部４３との間に配線された部分のジャンパコード５は、下方に垂れ下がるようにして湾曲処理されている。
以下、受け部２６と装置側引掛け部４３との間に配線された部分のジャンパコード５を余長部分５ｄという。
【００２５】
装置側引掛け部４３において、ジャンパコード５は、これが接続された装置側架体３の成端ユニット２３に対応する装置側引掛け部材４５に引っ掛けられる。図示例では、上から１〜５段目の成端ユニット２３に接続されたジャンパコード５が、それぞれ上から１〜５段目の装置側引掛け部材４５に引っ掛けられている。
【００２６】
装置側引掛け部材４５において、ジャンパコード５は引掛け部材本体４５ａの上面を後方から前方に向けて通って下方に垂らされている。ジャンパコード５は引掛け部材本体４５ａ上でクランプ４５ｂによってクランプされている。
装置側引掛け部材４５から下方に垂らされたジャンパコード５は、装置側架体３下部の余長収納ユニット２８に導入されている。
【００２７】
余長収納ユニット２８に導入されたジャンパコード５は、余長部分５ｃの長さに応じて配線ルートが選択される。
余長部分５ｃが比較的短い場合には、ジャンパコード５は第１余長ガイド部２９上を右方から左方に延び、その左端部の湾曲部２９ｂから垂下し、受け部３２に達し、受け部本体３２ａ上を右方に向かい、湾曲部３２ｂに至るように配線される。
余長部分５ｃがやや長い場合には、ジャンパコード５は第１余長ガイド部２９、第２余長ガイド部３０を経て、受け部本体３２ａ上を右方に向かい、湾曲部３２ｂに至るように配線される。
余長部分５ｃがさらに長い場合には、ジャンパコード５は第１余長ガイド部２９、第２余長ガイド部３０、第３余長ガイド部３１を経て、受け部本体３２ａ上を右方に向かい、湾曲部３２ｂに至るように配線される。
【００２８】
余長収納ユニット２８を経たジャンパコード５は、上方に延び、線路側引掛け部４２に達している。
線路側引掛け部４２において、ジャンパコード５は、これが接続されるべき線路側架体２の成端ユニット１３に対応する線路側引掛け部材４４に引っ掛けられる。
図示例では、上から１〜５段目の成端ユニット１３に接続されたジャンパコード５が、それぞれ上から１〜５段目の線路側引掛け部材４４に引っ掛けられている。
【００２９】
線路側引掛け部材４４において、ジャンパコード５は、引掛け部材本体４４ａの上面を前方から後方に向けて通って下方に垂らされている。ジャンパコード５は引掛け部材本体４４ａ上でクランプ４４ｂによってクランプされている。
線路側引掛け部材４４から下方に垂らされたジャンパコード５は、ガイド部１８内に至り、湾曲して上方に延び、成端ユニット１３に導入され、湾曲部１７ｂ、受け部本体１７ａを経てアダプタモジュール１５に達し、光コネクタ５ａが光コネクタアダプタ１４に接続されている。
すなわち線路側引掛け部４２と受け部１７との間に配線された部分のジャンパコード５は、下方に垂れ下がるようにして湾曲処理されている。
以下、線路側引掛け部４２と受け部１７との間に配線された部分のジャンパコード５を余長部分５ｅという。
【００３０】
このように、ジャンパコード５は、線路側引掛け部４２において成端ユニット１３に対応する線路側引掛け部材４４に引っ掛けて配線され、かつ装置側引掛け部４３において成端ユニット２３に対応する装置側引掛け部材４５に引っ掛けて配線され、余長部分５ｃが線路側引掛け部４２と装置側引掛け部４３との間に垂れ下がるようにして配線されている。
【００３１】
ジャンパコード５としては、一律化された長さのもの（ほぼ一定長さのもの）を使用することができる。例えば互いの離間距離が大きい成端ユニット１３、２３を接続する場合に合わせて長さを設定した１種のジャンパコード５を用いることができる。
【００３２】
線路側架体２内での移動を伴うジャンパコード５の切替接続を行う際には、ジャンパコード５を、移動先の成端ユニット１３に対応した引掛け部材４４に引掛ければよい。
これにより引掛け部材４５から引掛け部材４４を経由して湾曲部１７ｂまでの配線ルートによって、ジャンパコード５の移動元の成端ユニット１３と移動先の成端ユニット１３との高さの違いが吸収される。
装置側架体３内での移動を伴うジャンパコード５の切替接続の場合も、移動先の成端ユニット２３に対応した引掛け部材４５にジャンパコード５を引掛けることによって、移動元の成端ユニット２３と移動先の成端ユニット２３との高さの違いが吸収される。
【００３３】
光配線盤１では、すべてのジャンパコード５を、これが接続された成端ユニット１２、１３に対応する引掛け部材４４、４５に引っ掛ける必要はない。
特に下部に位置する成端ユニット１３、２３を接続する場合には、余長部分５ｃをなるべく短くするため、対応する引掛け部材４４、４５よりも上方に位置する引掛け部材４４、４５に引っ掛けてもよい。
例えば、図示例において、上から４段目または５段目の成端ユニット１３（または光部品ユニット１９）に接続されたジャンパコード５は、上から１〜３段目の線路側引掛け部材４４に引っ掛けることができる。
【００３４】
本実施形態の光配線盤１は、配線領域４に、引掛け部材４４が多段に設けられた線路側引掛け部４２と、引掛け部材４５が多段に設けられた装置側引掛け部４３とが横並びに配置され、ジャンパコード５が、成端ユニット１３に対応する引掛け部材４４と、成端ユニット２３に対応する引掛け部材４５とに引っ掛けて配線されている。
このため、所定長さの１種のジャンパコード５を用いる場合でも、引掛け部材４４、４５間の余長部分５ｃの長さを適切な範囲とすることができる。
例えば下方に位置する成端ユニット１３、２３（例えば上から４段目または５段目のもの）を接続するジャンパコード５は、これら成端ユニット１３、２３より比較的高い位置に形成された引掛け部材４４、４５に引っ掛けられるため、余長部分５ｃの長さを短くすることができる。
一方、比較的上方に位置する成端ユニット１３、２３を接続するジャンパコード５の余長部分５ｃは、成端ユニット１３、２３の位置が高いため配線領域４の底部に達しにくくなる。
このため、余長部分５ｃが配線領域４の底部に滞留するのを極力避けることができる。
よって、所定長さの１種のジャンパコード５を使用する場合でも、余長部分５ｃが配線領域４底部に滞留することによる作業性の悪化を防ぎ、ジャンパコード５の配線を容易とすることができる。
従って、成端ユニット１３、２３間の配線長を一定とすることができ、ジャンパコード５の長さを一律化できる。
複数種のジャンパコード５を使用する必要がないため、低コスト化が可能となる。また複数種のジャンパコード５を選択使用する場合に比べ、ジャンパコード５の選択に要する手間を省くことができ、作業性を向上させることができる。
【００３５】
また、光配線盤１では、ジャンパコード５の余長部分５ｃを収納する余長収納ユニット２８が設けられているので、余長部分５ｃが長くなった場合でも、これを収納することができる。
従って、余長部分５ｃが配線領域４底部に滞留することによる作業性の悪化を防ぎ、ジャンパコード５の配線を容易とすることができる。
【００３６】
また、ジャンパコード５は、成端ユニット１３、２３の受け部１７、２６と引掛け部材４４、４５との間に配線された部分（余長部分５ｄ、５ｅ）が、下方に垂れ下がるようにして湾曲処理されている。
このため、光配線盤１では、成端ユニット１３、２３内の光コネクタアダプタ１４、２４から引掛け部材４４、４５までの間のジャンパコード５の余長を処理することができることから、成端ユニット１３、２３と引掛け部材４４、４５との間の配線長を一定とすることができる。
従って、ジャンパコード５の長さを一律化することが容易となる。
【００３７】
なお、上記実施形態の光配線盤１では、線路側架体２の成端ユニット１３として、光コネクタアダプタ１４を備えたアダプタモジュール１５が着脱可能に組み込まれるタイプのものを例示し、装置側架体３の成端ユニット２３として、光コネクタアダプタ２４を取り付けたパネル状のユニット本体２５を備えたものを例示したが、本発明の光配線盤において、線路側架体および装置側架体の構成は例示のものに限定されない。
すなわち、線路側架体に、光コネクタアダプタとアダプタパネルを備えた構成を採用してもよいし、装置側架体がアダプタモジュールを組み込み可能であってもよい。
【００３８】
図５ないし図８は、本発明の光配線盤の第２の実施形態を示すものである。
図５（ａ）は本実施形態の光配線盤５１の上面図、図５（ｂ）は光配線盤５１の正面図、図６（ａ）は光配線盤５１のＡ−Ａ線断面矢視図、図６（ｂ）は光配線盤５１のＢ−Ｂ線断面矢視図、図７（ａ）は光配線盤５１のＣ−Ｃ線断面矢視図、図７（ｂ）は光配線盤５１のＤ−Ｄ線断面矢視図、図８は光配線盤５１の背面図である。
【００３９】
光配線盤５１は、成端ユニット１３が上下に多段に設けられた線路側架体５２と、成端ユニット２３が上下に多段に設けられた装置側架体５３と、これら線路側および装置側架体５２、５３間に配置された配線領域５４とを備えている。
線路側架体５２の左側部には、複数のジャンパコードガイド部６８が上下方向に間隔をおいて設けられ、装置側架体５３の右側部には、複数のジャンパコードガイド部６７が上下方向に間隔をおいて設けられている。
【００４０】
装置側架体５３の上部には、ジャンパコード５の余長を収納する余長収納ユニット５８が設けられている。
余長収納ユニット５８は、第１〜第３余長ガイド部５９〜６１と、これら余長ガイド部５９〜６１の下方に設けられた受け部６２とを備えている。
余長ガイド部５９〜６１は、装置側架体５３の左右方向に間隔をおいて設けられている。
【００４１】
第１余長ガイド部５９は、左右に延在する余長ガイド部本体５９ａの両端に、下方に湾曲する湾曲部５９ｂが設けられている。
第２および第３余長ガイド部６０、６１は、円筒状に形成されている。
受け部６２は、ジャンパコード５を支持するものであり、装置側架体５３の左端部から右端部にかけて形成された受け部本体６２ａと、受け部本体６２ａの右端部から下方に湾曲しつつ突出する湾曲部６２ｂとを備えている。
【００４２】
配線領域５４には、線路側引掛け部７２と、その左側（装置側架体５３側）に設けられた装置側引掛け部７３とが横並びに配置されている。
線路側引掛け部７２は、ジャンパコード５を引掛ける線路側引掛け部材７４が、線路側架体５２の成端ユニット１３に対応させて上下に多段に設けられて構成されている。
図示例においては、線路側架体５２に設けられた５段の成端ユニット１３に対応するように、線路側引掛け部７２は、上下に５段の線路側引掛け部材７４から構成されている。
【００４３】
線路側引掛け部材７４は、上下方向に延在する支持柱４１に、連結部材７０を介して取り付けられている。
線路側引掛け部材７４は、連結部材７０から前方に延びる円筒状に形成されている。
線路側引掛け部材７４は、これに引掛けられたジャンパコード５が、光特性に影響を与えない湾曲半径を確保した状態となるように形成されている。
【００４４】
装置側引掛け部７３は、ジャンパコード５を引掛ける装置側引掛け部材７５が、装置側架体５３の成端ユニット２３に対応させて上下に多段に設けられて構成されている。
図示例においては、装置側架体５３に設けられた５段の成端ユニット２３に対応するように、装置側引掛け部７３は、上下に５段の装置側引掛け部材７５から構成されている。
【００４５】
装置側引掛け部材７５は、連結部材７０から前方に延びる円筒状に形成されている。
装置側引掛け部材７５は、これに引掛けられたジャンパコード５が、光特性に影響を与えない湾曲半径を確保した状態となるように形成されている。
【００４６】
支持柱４１の線路側架体５２側には、複数のジャンパコードガイド部７８が設けられ、装置側架体５３側には、複数のジャンパコードガイド部７７が設けられている。これらガイド部７７、７８は上下方向に間隔をおいて設けられている。
【００４７】
以下、ジャンパコード５の配線について詳細に説明する。
ジャンパコード５は、光コネクタ５ｂが成端ユニット２３の光コネクタアダプタ２４に接続され、受け部２６の受け部本体２６ａ上を右方に延び、湾曲部２６ｂを経て装置側引掛け部７３に達する。
装置側引掛け部７３において、ジャンパコード５は、これが接続されるべき装置側架体５３の成端ユニット２３に対応する装置側引掛け部材７５に引っ掛けられる。
図示例では、上から１〜５段目の成端ユニット２３に接続されたジャンパコード５が、それぞれ上から１〜５段目の装置側引掛け部材７５に引っ掛けられている。
装置側引掛け部材７５において、ジャンパコード５は、その上面を左方から右方に向けて通って下方に延び、ガイド部７７を経て左方に湾曲し、ガイド部６７を通って上方に延び、余長収納ユニット５８に導入されている。
【００４８】
余長収納ユニット５８に導入されたジャンパコード５は、余長部分５ｃ（引掛け部７２、７３間に相当する部分のジャンパコード５）の長さに応じて配線ルートが選択される。
余長部分５ｃが比較的短い場合には、ジャンパコード５は、受け部６２から第１余長ガイド部５９を経て右方に向かうように配線される。
余長部分５ｃがやや長い場合には、ジャンパコード５は、第２余長ガイド部６０を経て右方に向かうように配線される。
余長部分５ｃがさらに長い場合には、ジャンパコード５は、第３余長ガイド部６１を経て右方に向かうように配線される。
【００４９】
余長収納ユニット５８を経たジャンパコード５は、線路側引掛け部７２の右側を垂下し、ガイド部６８、７８を経て、接続するべき成端ユニット１３に対応した線路側引掛け部材７４に引っ掛けられる。
図示例では、上から１〜５段目の成端ユニット１３に接続されたジャンパコード５が、それぞれ上から１〜５段目の線路側引掛け部材７４に引っ掛けられている。
【００５０】
線路側引掛け部材７４において、ジャンパコード５は、その上面を左方から右方に向けて延び、成端ユニット１３に導入されている。
成端ユニット１３に導入されたジャンパコード５は、湾曲部１７ｂ、受け部本体１７ａを経てアダプタモジュール１５に達し、光コネクタ５ａが光コネクタアダプタ１４に接続されている。
【００５１】
本実施形態の光配線盤５１は、配線領域５４に、引掛け部材７４が多段に設けられた線路側引掛け部７２と、引掛け部材７５が多段に設けられた装置側引掛け部７３とが横並びに配置され、ジャンパコード５が、成端ユニット１３に対応する引掛け部材７４と、成端ユニット２３に対応する引掛け部材７５とに引っ掛けて配線されている。
このため、図１に示す光配線盤１と同様に、余長部分５ｃの長さを適切な範囲とし、この余長部分５ｃが配線領域５４の底部に滞留するのを極力避けることができる。
よって、ジャンパコード５の長さを一律化でき、作業性を向上させるとともに、低コスト化を図ることができる。
【００５２】
また、光配線盤５１では、ジャンパコード５の余長部分５ｃを収納する余長収納ユニット５８が設けられているので、余長部分５ｃが長くなった場合でも、これを収納することができる。
従って、余長部分５ｃが配線領域５４底部に滞留することによる作業性の悪化を防ぎ、ジャンパコード５の配線を容易とすることができる。
【００５３】
本発明において使用できるジャンパ用光ファイバとしては、光ファイバコード（ジャンパコード）に限らず、単身または多心の光ファイバ心線を使用することもできる。またジャンパ用光ファイバの光コネクタとしては、ＪＩＳ Ｃ ５９７３に規定されたＳＣ形光コネクタ（Single fiber Coupling optical fiber connector）、ＪＩＳ Ｃ ５９８３に規定されたＭＵ形光コネクタ（Miniature-Unit coupling optical fiber connector）などの光コネクタプラグが採用される。多心のジャンパ用光ファイバを用いる場合には、光コネクタとして、ＪＩＳ Ｃ ５９８２に規定されたＭＰＯ形光コネクタ（Multifiber Push On）等が採用される。
線路側架体および装置側架体の光コネクタアダプタには、ジャンパ用光ファイバの光コネクタが接続可能なものが採用される。
【００５４】
【発明の効果】
以上説明したように、本発明の光配線盤にあっては、引掛け部材間のジャンパ用光ファイバ余長部分の長さを適切な範囲とし、この余長部分が配線領域の底部に滞留するのを極力避けることができる。よって、１種のジャンパ用光ファイバを使用する場合でも、余長部分が配線領域底部に滞留することによる作業性の悪化を防ぎ、ジャンパ用光ファイバの配線を容易とすることができる。従って、成端ユニット間の配線長を一定とすることができ、ジャンパ用光ファイバの長さを一律化できる。また複数種のジャンパ用光ファイバを使用する必要がないため、低コスト化が可能となる。また複数種のジャンパ用光ファイバを選択使用する場合に比べ、この選択に要する手間を省くことができ、作業性を向上させることができる。
【００５５】
また、余長部分を収納する余長収納ユニットを設けることによって、この余長部分が長くなった場合でも、これを収納することができる。従って、余長部分が配線領域底部に滞留することによる作業性の悪化を防ぎ、ジャンパ用光ファイバの配線を容易とすることができる。
【００５６】
また、成端ユニットの受け部と引掛け部材との間に配線された部分のジャンパ用光ファイバを、下方に垂れ下がるようにして湾曲処理することによって、成端ユニットから引掛け部材までのジャンパ用光ファイバの余長部分を処理することができる。従って、ジャンパ用光ファイバの長さを一律化することが容易となる。
【図面の簡単な説明】
【図１】   本発明の光配線盤の第１の実施形態を示す図であり、（ａ）は上面図であり、（ｂ）は正面図である。
【図２】   （ａ）は図１に示す光配線盤のＡ−Ａ線断面矢視図であり、（ｂ）は図１に示す光配線盤のＢ−Ｂ線断面矢視図である。
【図３】   （ａ）は図１に示す光配線盤のＣ−Ｃ線断面矢視図であり、（ｂ）は図１に示す光配線盤のＤ−Ｄ線断面矢視図である。
【図４】   図１に示す光配線盤の背面図である。
【図５】   本発明の光配線盤の第２の実施形態を示す図であり、（ａ）は上面図であり、（ｂ）は正面図である。
【図６】   （ａ）は図５に示す光配線盤のＡ−Ａ線断面矢視図であり、（ｂ）は図５に示す光配線盤のＢ−Ｂ線断面矢視図である。
【図７】   （ａ）は図５に示す光配線盤のＣ−Ｃ線断面矢視図であり、（ｂ）は図５に示す光配線盤のＤ−Ｄ線断面矢視図である。
【図８】   図５に示す光配線盤の背面図である。
【図９】   従来の光配線盤を示す正面図の背面図である。
【符号の説明】
１、５１・・・光配線盤、２、５２・・・線路側架体、３、５３・・・装置側架体、４、５４・・・配線領域、５・・・ジャンパコード（ジャンパ用光ファイバ）、５ｃ・・・ジャンパコード余長部分（ジャンパ用光ファイバ余長部分）、１２・・・線路側光ファイバ、１３、２３・・・成端ユニット、１６、２５・・・ユニット本体、１７、２６・・・受け部、２２・・・装置側光ファイバ、４２、７２・・・線路側引掛け部、４３、７３・・・装置側引掛け部、４４、７４・・・線路側引掛け部材、４５、７５・・・装置側引掛け部材
【図１】
0003836378.tif 000002
【図２】
0003836378.tif 000003
【図３】
0003836378.tif 000004
【図４】
0003836378.tif 000005
【図５】
0003836378.tif 000006
【図６】
0003836378.tif 000007
【図７】
0003836378.tif 000008
【図８】
0003836378.tif 000009
【図９】
0003836378.tif 000010